(57)【要約】【課題】  門扉の外観を向上できると共にマンションなどの先施工した設置面にも容易に門扉を配設でき、更に騒音防音対策も施すようにした門扉の固定構造を提供する。【解決手段】  観音開き状に開閉する一対の扉体１の少なくとも一方の扉体１の召し合わせ部における縦枠内に扉体１の下端から上方に向けて収納部２を穿設する。収納部２の形状に合わせてフランス落としの落とし棒３を形成すると共に収納部２の内面に沿わせてこの落とし棒３を上下に摺動自在に配置する。水平な下面４ａを備えたフランス落としの受具４を門扉の設置面５上にボルト６にて設置する。受具４に上方に開口して底が下面４ａよりも上方位置にある嵌合凹所７を形成する。収納部２の下方開口１７から自重にて落とし棒３を下方に突出させたとき、落とし棒３の下端が嵌合凹所７に嵌め込まれるようにする。【選択図】        図１
2005090136.tif 000002
【特許請求の範囲】
【請求項１】
観音開き状に開閉する一対の扉体の少なくとも一方の扉体の召し合わせ部における縦枠内に扉体の下端から上方に向けて収納部を穿設し、収納部の形状に合わせてフランス落としの落とし棒を形成すると共に収納部の内面に沿わせてこの落とし棒を上下に摺動自在に配置し、水平な下面を備えたフランス落としの受具を門扉の設置面上にボルトにて設置し、この受具に上方に開口して底が下面よりも上方位置にある嵌合凹所を形成し、収納部の下方開口から自重にて落とし棒を下方に突出させたとき、落とし棒の下端が嵌合凹所に嵌め込まれるようにしたことを特徴とする門扉の固定構造。
【請求項２】
落とし棒から上方に延出した平板状の板部に上下に長く側方に貫通せる長孔を穿孔し、収納部に側方開口を形成すると共にこの側方開口に対向する収納部の内面に略水平にネジ孔を穿孔し、収納部に位置させた落とし棒の長孔とネジ孔とを連通させ、上ネジ具を収納部の側方開口から落とし棒の長孔に通して扉体の上ネジ孔に螺入させて締め付けることで落とし棒を扉体に固定可能にしたことを特徴とする請求項１記載の門扉の固定構造。
【請求項３】
落とし棒の下端に水平に下ネジ孔を穿孔してこの下ネジ孔に下ネジ具を螺着し、受具の嵌合凹所を囲む縦壁に切欠を下方に切り込み、嵌合凹所に落とし棒の下端を嵌め込んだとき下ネジ具の軸部を切欠に位置させると共に下ネジ孔に下ネジ具を締め付けて下ネジ具の頭部を縦壁の外面に圧接させることで落とし棒の下端を受具に固定可能にしたことを特徴とする請求項１記載の門扉の固定構造。
【発明の詳細な説明】
【技術分野】
【０００１】
本発明は、門扉の固定構造に関するものである。
【背景技術】
【０００２】
従来、一般的な戸建住宅には、敷地の外縁部分に亙って塀や柵などが立設され、敷地外から建物の玄関に至る通路における敷地の外縁部分には門扉が配設されている。そして、この門扉には、通路の両脇に支柱をそれぞれ立設し、この一対の支柱にそれぞれ扉体を内外方向に回動自在に取付けてなる観音開き式の門扉が多用されており、更に言うと、通常時には一方の扉体のみを開閉させて通路の通行を確保し、敷地内に家具等の大きな物体を運び込むなどの非常時には両方の扉体を開閉できるように、どちらか一方の扉体にはフランス落としが付設されている。
【０００３】
一般的なフランス落としは、図９のように、一方の扉体１の召し合わせ部（回動端）の下端部に上下に貫通孔３０を貫通させた筒状の収納ホルダ３１を装着し、収納ホルダ３１に側方から貫通孔３０に至る切込３２を上下に亙って穿設し、収納ホルダ３１の貫通孔３０に挿通させた落とし棒３３に側方に突出する操作棒３４を突設し、収納ホルダ３１を付設した扉体１が通路を閉じた状態における貫通孔３０の直下位置の通路の部分に上方に開口せる有底筒状の受具３５を埋設して構成されており、操作棒３４を収納ホルダ３１の上縁に引掛けて落とし棒３３の下端を宙に浮いた状態に保持させたことで、フランス落としを付設した扉体１が回動可能にされるのであり、また、操作棒３４を切込３２に通過させつつ落とし棒３３を自重で貫通孔３０に落下させて落とし棒３３の下端を受具３５に挿入させたことで、フランス落としを付設した扉体１が回転不能に設置面５に支持されるのである。
【０００４】
なお、この収納ホルダ３１は扉体１に別体に取付けられることが多く、この場合、扉体１に装着した収納ホルダ３１は扉体１から突出するのであり、門扉の外観に違和感を生じさせて門扉の外観を低下させてしまうものであった。また、門扉の外観の向上を図るため、扉体１の縦枠内に収納ホルダ３１を埋設させたものもあったが、この収納ホルダ３１の扉体１の縦枠内への取付けは手の届きにくい狭い部分での作業となり、フランス落としの扉体１への取付けに手間がかかるといった製造上の問題があった。（たとえば、特許文献１参照）
また、近年、マンションなどの集合住宅でも、見た目に各部屋の独立性を演出するため、あたかも戸建住宅の玄関前のように各部屋の玄関前に門扉をそれぞれ配設するようなことが行われている。マンションのような集合住宅の建設は建物施工を先に行うものであるから、建物施工にて仕上げられた廊下などの設置面５に対して門扉を配設していくことになる。そして、この門扉にもフランス落としを付設するのであるが、この場合、先に仕上げられた設置面５に孔３６を穿孔して上記孔３６に受具３５を埋設しなければならず、施工が非常に困難であった。更に言うと、集合住宅では生活音などの騒音問題が大変神経質な問題として存在しているから、集合住宅内に設ける門扉にはガタツキを防止したりする騒音防止対策を施すことも同時に望まれている。
【特許文献１】特開平５−１７９８５６号公報
【発明の開示】
【発明が解決しようとする課題】
【０００５】
本発明は上記の従来の問題点に鑑みて発明したものであって、門扉にフランス落としのような固定構造を備えるに際し、門扉の外観を向上できると共にマンションなどの先施工した設置面にも容易に門扉を配設でき、更に騒音防止対策も施すようにした門扉の固定構造を提供することを課題とするものである。
【課題を解決するための手段】
【０００６】
上記課題を解決するために本発明に係る門扉の固定構造は、観音開き状に開閉する一対の扉体１の少なくとも一方の扉体１の召し合わせ部における縦枠内に扉体１の下端から上方に向けて収納部２を穿設し、収納部２の形状に合わせてフランス落としの落とし棒３を形成すると共に収納部２の内面に沿わせてこの落とし棒３を上下に摺動自在に配置し、水平な下面４ａを備えたフランス落としの受具４を門扉の設置面５上にボルト６にて設置し、この受具４に上方に開口して底が下面４ａよりも上方位置にある嵌合凹所７を形成し、収納部２の下方開口１７から自重にて落とし棒３を下方に突出させたとき、落とし棒３の下端が嵌合凹所７に嵌め込まれるようにしたことを特徴とする。
【０００７】
これによると、扉体１の縦枠内に扉体１の下端から上方に向けて収納部２を穿設し、この収納部２に落とし棒３を上下に摺動自在に配置したので、フランス落としの落とし棒３が門扉の内部に穿設した収納部２に直接挿入される構造となり、門扉の側方に突出するかたちでフランス落としの落とし棒３が配設されずに門扉をすっきりとした良好な外観にできるのであり、また、収納部２の形状に合わせてフランス落としの落とし棒３を形成すると共に収納部２の内面に沿わせてこの収納部２に落とし棒３を上下に摺動自在に配置したので、収納部２での落とし棒３の上下の摺動をスムーズに行うことができるのであり、また、フランス落としの受具４にあっては、落とし棒３の下端が嵌め込まれる嵌合凹所７の底をこの受具４の水平な下面４ａよりも上方位置に位置させたので、この受具４を門扉の設置面５上にそのまま載置してボルト６の打入にて設置でき、つまり従来のように受具３５を埋設させるための孔３６を設置面５に穿孔する必要を無くしているので、マンション等の集合住宅の仕上げられた廊下などの設置面５にも受具４を容易に配設することができ、ひいてはフランス落としのような固定構造を備えた門扉をマンション等の集合住宅の設置面５に容易に配設することができるのである。
【０００８】
また、落とし棒３から上方に延出した平板状の板部８に上下に長く側方に貫通せる長孔９を穿孔し、収納部２に側方開口１０を形成すると共にこの側方開口１０に対向する収納部２の内面に略水平に上ネジ孔１１を穿孔し、収納部２に位置させた落とし棒３の長孔９と上ネジ孔１１とを連通させ、上ネジ具１２を収納部２の側方開口１０から落とし棒３の長孔９に通して扉体１の上ネジ孔１１に螺入させて締め付けることで落とし棒３を扉体１に固定可能にしたことも好ましい。これによると、落とし棒３を付設した扉体１を回動可能にすべく落とし棒３を扉体１から自重で落下させない状態で扉体１に完全に固定できるのは勿論、落とし棒３を付設した扉体１を回動不能にすべく落とし棒３を扉体１から自重で落下させて落とし棒３の下端を受具４に支持させた状態でも落とし棒３を扉体１に完全に固定できるのであり、つまり落とし棒３と扉体１とを一体化できて落とし棒３と扉体１との間でガタツキ音が生じるのを防止できるのである。
【０００９】
また、落とし棒３の下端に水平に下ネジ孔１３を穿孔してこの下ネジ孔１３に下ネジ具１４を螺着し、受具４の嵌合凹所７を囲む縦壁１６に切欠１５を下方に切り込み、嵌合凹所７に落とし棒３の下端を嵌め込んだとき下ネジ具１４の軸部１４ｂを切欠１５に位置させると共に下ネジ孔１３に下ネジ具１４を締め付けて下ネジ具１４の頭部１４ａを縦壁１６の外面に圧接させることで落とし棒３の下端を受具４に固定可能にしたことも好ましい。これによると、扉体１から落とし棒３を自重にて落下させて受具４の嵌合凹所７に嵌め込んだときには、下ネジ具１４によって落とし棒３と受具４とを完全に固定できるのであり、つまり落とし棒３と受具４とを一体化できて落とし棒３と受具４との間でガタツキ音が生じるのを防止できる。また、下ネジ具１４を挿通させる切欠１５が嵌合凹所７を囲む縦壁１６に下方に切り込むように設けられているので、あらかじめ下ネジ孔１３に下ネジ具１４を螺着させておいた状態の落とし棒３を扉体１から自重で落下させて受具４の嵌合凹所７に嵌め込んだ際にはこの切欠１５に上方から下ネジ具１４を挿通させることができ、落とし棒３と受具４との固定を簡単に行わせることができる。
【発明の効果】
【００１０】
本発明は、扉体の縦枠内に扉体の下端から上方に向けて収納部を穿設し、この収納部に落とし棒を上下に摺動自在に配置したので、フランス落としの落とし棒が門扉の内部に穿設した収納部に直接挿入される構造となり、門扉の側方に突出するかたちでフランス落としの落とし棒が配設されずに門扉をすっきりとした良好な外観にできるといった利点を有し、また、収納部の形状に合わせてフランス落としの落とし棒を形成すると共に収納部の内面に沿わせてこの収納部に落とし棒を上下に摺動自在に配置したので、収納部での落とし棒の上下の摺動をスムーズに行うことができるといった利点を有し、また、フランス落としの受具にあっては、落とし棒の下端が嵌め込まれる嵌合凹所の底をこの受具の水平な下面をよりも上方位置に位置させたので、この受具を門扉の設置面上にそのまま載置してボルトの打入にて設置でき、つまり従来のように受具を埋設させるための孔を設置面に穿孔する必要を無くしているので、マンション等の集合住宅の仕上げられた廊下などの設置面にも受具を容易に配設することができ、ひいてはフランス落としのような固定構造を備えた門扉をマンション等の集合住宅の設置面に容易に配設することができるといった利点を有している。更に、上ネジ具にて落とし棒を扉体に固定可能にすると共に下ネジ具にて落とし棒を受具に固定可能にしたので、各部材間でガタツキ音が生じるのを防止できて門扉の消音化に資することができる。
【発明を実施するための最良の形態】
【００１１】
以下、本発明を添付図面に示す実施形態に基いて説明する。
【００１２】
本例の門扉は、図２のように、一対の支柱２０を左右に間隔をあけて立設し、これら支柱２０の対向面にそれぞれ肘壷金具２１を介して扉体１を水平回転自在に装着して構成されており、一対の扉体１が観音開き状に開閉するようにされている。この観音開き状の門扉には、一方の扉体１の召し合わせ部にフランス落としのような門扉の固定構造が備えられている。ここで、扉体１の召し合わせ部とは一対の扉体１が互いに近接する側の部位をいう。この固定構造によると、一方の扉体１が門扉の設置面５に対して適宜回動不能に固定可能にされる。通常、一方の扉体１は閉塞状態で上記固定構造によって設置面５に固定されており、回動可能な他方の扉体１によって門扉の開閉が行われる。なお、図中２２は、他方の扉体１を開くときに、一対の扉体１を連結するラッチの係合の解除を操作するノブである。
【００１３】
扉体１はアルミ鋳物のような鋳物製であり、鋳造成形にて一体に形成してある。そして、一方の扉体１を鋳造成形するときには、図３のように召し合わせ部の縦枠内にフランス落としの落とし棒３を収納する収納部２が凹設される。この収納部２は、扉体１の下端から上方に向けて縦枠内に凹設された凹溝状の部位であり、扉体１の角部１８を間に残すようにして下方開口１７と側方開口１０とを有している。なお、収納部２の下部域は側方開口１０からの溝深さが深い深溝部２ａとされ、収納部２の上部域は側方開口１０からの溝深さが浅い浅溝部２ｂとされている。ここで、浅溝部２ｂの溝深さは、側方開口１０と下方開口１７との間に残された扉体１の角部１８における水平方向の厚み寸法よりも深く形成されている。また、深溝部２ａと浅溝部２ｂとは段部２ｃを介して連続するのであるが、段部２ｃ近傍の浅溝部２ｂにおける側方開口１０に対向する収納部２の内面には扉体１の縦枠を水平方向に貫通する上ネジ孔１１が穿孔されている。
【００１４】
フランス落としの落とし棒３は、図４のように矩形ブロック状の棒材である。具体的に落とし棒３は同形状の２枚の厚手のステンレス製の短尺平板２３を皿ネジ２４によって積層一体化されたことで形成されている。この落とし棒３の下端部分には水平方向且つ扉体１の回動方向と直交する方向に貫通した下ネジ孔１３が穿孔されている。また、この落とし棒３からは上方に平板状の板部８が延出されている。具体的には落とし棒３の表面に薄手のステンレス製の長尺平板２５を上記皿ネジ２４によって同時に積層一体化し、落とし棒３の上方に突出した長尺平板２５の部位が上記板部８を構成している。この板部８には上下に長く水平に板部８を貫通した長孔９が穿設されている。
【００１５】
この落とし棒３は、図６，７のように扉体１の収納部２にその下方開口１７に挿通されつつ上下に摺動自在に配置されるのであるが、本例の落とし棒３は板部８も含めた落とし棒３の外形形状が収納部２の内面形状と略同様の形状に形成され、収納部２の内面に沿わせてこの収納部２に落とし棒３を上下に摺動自在に配置してあり、収納部２での落とし棒３の上下の摺動をスムーズに行うことが可能にされている。詳しくは、落とし棒３を収納部２内に上方に向けて摺動させたときには、図６のように、落とし棒３が収納部２の深溝部２ａに収納されると共に板部８が収納部２の浅溝部２ｂに収納され、つまり扉体１内に落とし棒３が完全に収納可能になっている。また、収納部２内にある落とし棒３を自重で落下させたときには、図７のように、落とし棒３が収納部２の下方開口１７から下方に突出し、落とし棒３の下端が後述するフランス落としの受具４に支持されるようになっている。ここで、落とし棒３を収納部２に配置した状態では、落とし棒３の上下の摺動にかかわらず、収納部２の上ネジ孔１１が収納部２の長孔９を介して収納部２の側方開口１０から露出されている。つまり、落とし棒３の上下の摺動にかかわらず常時上ネジ孔１１と長孔９とは連通されており、側方開口１０から上ネジ具１２を長孔９を通して上ネジ孔１１に螺入し締め付けることで、適宜の高さ位置で落とし棒３を扉体１に固定できるようにされている。
【００１６】
フランス落としの受具４は、収納部２から自重で落下させた落とし棒３の下端を固定する部材であり、図５のように、水平な下面４ａを形成した基台２６を有し、この基台２６に上下に貫通するように一対のボルト挿通孔２７を穿孔すると共に、上方に開口して底が下面４ａよりも上方位置にある嵌合凹所７を設けて構成されている。ここで、本例の嵌合凹所７は、落とし棒３の水平断面と略同様の水平断面を有するように形成されている。そして、この受具４は、門扉を設置する設置面５上に据え置いて固定されるものであり、その固定は、設置面５上に基台２６を載置した上で、ボルト挿通孔２７に挿通させたボルト６を設置面５に打入させたり、あらかじめ設置面５に打設されたアンカーボルトをボルト挿通孔２７に挿通させてナットを締結させたりすることで行われる。詳しくは、受具４の設置面５への固定位置は、閉塞状態にある一方の扉体１の召し合わせ部の下方位置における設置面５であり、閉塞状態の一方の扉体１から落とし棒３を自重で落下させたとき落とし棒３の下端が嵌合凹所７に嵌め込まれる位置に設定されている。
【００１７】
また、この受具４の基台２６にあって、一方の扉体１の回動方向には設置面５から嵌合凹所７の開口縁にまで傾斜する傾斜面２８が形成されており、この傾斜面２８によっては、あらかじめ落とし棒３を自重で落下させた状態の一方の扉体１を閉塞すべく回動させたときに、落とし棒３が傾斜面２８に沿って登って嵌合凹所７内に嵌め込み可能にされている。つまり、一方の扉体１を閉塞状態にするベく回動させた際に、落とし棒３を自重で落下させるタイミングが一方の扉体１の完全な閉塞状態からずれたとしても、傾斜面２８によって落とし棒３を嵌合凹所７に導入することができるのである。また、嵌合凹所７を囲む縦壁１６にあって、一方の扉体１の回動方向と直交する方向には切欠１５が下方に切り込まれている。ここで、嵌合凹所７を囲む縦壁１６とは、嵌合凹所７を穿設した基台２６における嵌合凹所７を囲む部位である。図７のように、上記切欠１５は嵌合凹所７に落とし棒３の下端が嵌め込まれた際に落とし棒３の下端の下ネジ孔１３と連通するのであり、この切欠１５を通して下ネジ孔１３に下ネジ具１４を螺着して締め付け、下ネジ具１４の頭部１４ａを縦壁１６外面における切欠１５の縁部に圧接させることで、落とし棒３と下ネジ具１４の頭部１４ａとで縦壁１６を挟持するようにして落とし棒３と受具４とを完全に固定できるようになっている。なお、嵌合凹所７を囲む縦壁１６に下方に切り込まれた切欠１５はすなわち上方且つ側方に開口していることから、切欠１５には下ネジ具１４が側方のみならず上方からも挿入可能にされている。また、この切欠１５は、下ネジ具１４の軸部１４ｂのみを挿通可能な大きさに形成されている。
【００１８】
上記構成の扉体１の固定構造にあっては、図１のように、扉体１の縦枠内に穿設された収納部２に落とし棒３を配置した構造にされているので、従来のフランス落としのように扉体１の側方に落とし棒３が突出するかたちで配置されたものではなく、門扉の外観をすっきりとした良好な外観にできるといった利点を有している。特に、門扉の外観のなかで目立つ扉体１と落とし棒３とは外観の似た金属材料で製造されているので、外観に統一感がでて門扉の外観が向上している。なお、更なる外観の統一感を期して受具４も扉体１と落とし棒３と同様に金属材料で構成してもよいが、本例の受具４はＡＢＳのような樹脂で成形されており、落とし棒３を自重で嵌合凹所７に落下させたときの衝撃音の低減を図っている。
【００１９】
また、収納部２の形状に合わせてフランス落としの落とし棒３を形成すると共に収納部２の内面に沿わせてこの収納部２に落とし棒３を上下に摺動自在に配置してあるので、収納部２での落とし棒３の上下の摺動をスムーズに行わせることが可能にされているといった利点を有している。また、フランス落としの受具４にあっては、落とし棒３の下端が嵌め込まれる嵌合凹所７の底をこの受具４の水平な下面４ａよりも上方位置に位置させたので、この受具４を門扉の設置面５上にそのまま載置してボルト６の打入にて設置でき、つまり従来のように受具３５を埋設させるための孔３６を設置面５に穿孔する必要を無くしているので、図８のようにマンション等の集合住宅の仕上げられた廊下などの設置面５にも受具４を容易に配設することができ、ひいてはフランス落としのような固定構造を備えた門扉をマンション等の集合住宅の設置面５に容易に配設することができるといった利点を有している。
【００２０】
また、上ネジ具１２によって落とし棒３と扉体１とを完全に固定できるから、落とし棒３と扉体１とを一体化できて落とし棒３と扉体１との間でガタツキ音が生じるのを防止できるのであり、また、下ネジ具１４によって落とし棒３と受具４とを完全に固定できるから、落とし棒３と受具４とを一体化できて落とし棒３と受具４との間でガタツキ音が生じるのを防止できるのであり、すなわちこの固定構造によって門扉に有効な騒音防止が施されるといった利点を有している。なお、この騒音防止の作用効果は、騒音問題が神経質な問題とされるマンションなどの集合住宅に門扉が設置される際に特に有効である。また、受具４にあって、扉体１の回動方向における嵌合凹所７の開口縁には傾斜面２８が形成され、この傾斜面２８によって嵌合凹所７とずれた位置で落下させた落とし棒３をも嵌合凹所７に導入させ得るようになっているので、使用者は扉体１の位置に注意して落とし棒３を落下させる必要を無くし、使い勝手を向上させているといった利点を有している。
【００２１】
また、受具４の切欠１５は下ネジ具１４を上方からも挿入可能にしているので、あらかじめ下ネジ孔１３に下ネジ具１４を螺着させておいた状態の落とし棒３を扉体１から自重で落下させて受具４の嵌合凹所７に嵌め込んだ際には切欠１５に上方から下ネジ具１４が挿通され、そのまま下ネジ具１４を下ネジ孔１３に締め付けることで落とし棒３と受具４との固定を行わせることができるのであり、つまり、落とし棒３に下ネジ具１４を常時螺着させて下ネジ具１４の紛失を無くすることができつつも、落とし棒３と受具４との固定を簡単に行わせることができるといった利点を有しているのである。
【図面の簡単な説明】
【００２２】
【図１】本発明の実施の形態の例の門扉の固定構造の斜視図である。
【図２】同上の門扉の正面図である。
【図３】（ａ）は同上の扉体の召し合わせ部の部分正面図であり、（ｂ）は（ａ）の側面図であり、（ｃ）は（ｂ）のＡ−Ａ線断面図である。
【図４】（ａ）は同上の落とし棒の正面図であり、（ｂ）は（ａ）の側面図である。
【図５】（ａ）は同上の受具の平面図であり、（ｂ）は（ａ）のＢ−Ｂ線断面図であり、（ｃ）は（ａ）の下面図である。
【図６】（ａ）は受具に落とし棒を支持させない状態の扉体の側面断面図であり、（ｂ）は（ａ）の側面図である。
【図７】（ａ）は受具に落とし棒を支持させた状態の扉体の側面断面図であり、（ｂ）は（ａ）の側面図である。
【図８】同上の門扉をマンションの廊下などの設置面に配設した斜視図である。
【図９】従来技術を説明する一般的なフランス落としの斜視図である。
【符号の説明】
【００２３】
１  扉体
２  収納部
３  落とし棒
４  受具
４ａ  下面
５  設置面
６  ボルト
７  嵌合凹所
８  板部
９  長孔
１０  側方開口
１１  上ネジ孔
１２  上ネジ具
１３  下ネジ孔
１４  下ネジ具
１５  切欠
１６  縦壁
１７  下方開口
【図１】
2005090136.tif 000003
【図２】
2005090136.tif 000004
【図３】
2005090136.tif 000005
【図４】
2005090136.tif 000006
【図５】
2005090136.tif 000007
【図６】
2005090136.tif 000008
【図７】
2005090136.tif 000009
【図８】
2005090136.tif 000010
【図９】
2005090136.tif 000011